【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
単層タッチ・センサ上において少なくとも１つの物体を追跡する方法であって、
複数の駆動および検知電極を含む交互タッチ・ゾーンを設けるステップであって、タッチ・センサの各行に少なくとも２つの異なるタッチ・ゾーンＡおよびＢがあり、同じ行または隣接する行には、同様のタッチ・ゾーンが互いに隣接して配置されない、ステップと、
前記Ａタッチ・ゾーンと干渉しないように前記Ｂタッチ・ゾーンを接地しつつ、前記Ａタッチ・ゾーンの全てを駆動し、次いで、前記Ａタッチ・ゾーンを接地しつつ、前記Ｂタッチ・ゾーンの全てを駆動するステップであって、コード化駆動パターンが、前記複数の駆動電極から前記複数の検知電極上にデータを多重化する、ステップと、
前記複数の検知電極上において信号を測定するステップと、
前記タッチ・センサ上の少なくとも１つの物体に関する位置情報を得るために、前記複数の検知電極上で測定した前記信号からデータを多重分解するステップと、
を含む、方法。
【請求項２】
請求項１記載の方法において、更に、前記複数の検知電極上で測定した前記信号からの前記多重分解データを調整するステップを含む、方法。
【請求項３】
請求項２記載の方法において、更に、高い値をタッチ・ゾーンにおいて取り込み、当該タッチ・ゾーンにおける他の全ての測定値から減算することによって、各タッチ・ゾーンにおいてＤＣ電圧オフセットを再生するステップを含む、方法。
【請求項４】
請求項３記載の方法において、更に、各タッチ・ゾーンにおいて複数の物体を検出することを可能にするが、前記複数の検知電極のいずれの１つにおいても、最大２つの物体である、ステップを含む、方法。
【請求項５】
請求項１記載の方法において、更に、各タッチ・ゾーン内にｎ個の駆動電極およびｎ＋１個の検知電極を設けるステップであって、前記検知および駆動電極が同じ平面内に、互いに平行で、順番が交互であり、検知電極で開始および終了する、ステップと、第１エッジにおいて、第１端部上の前記複数の検知電極の全てに結合された第１検知トレースを設け、第２エッジにおいて、第２端部上の前記複数の検知電極の全てに結合された第２検知トレースを設けるステップと、複数の第１駆動トレースを設けるステップであって、前記複数の駆動電極の各々が第１エッジにおいて前記第１駆動トレースの内一意の１つに結合される、ステップと、複数の第２駆動トレースを設けるステップであって、前記複数の駆動電極の各々が第２エッジにおいて前記第２駆動トレースの内一意の１つに結合される、ステップとを含む、方法。
【請求項６】
少なくとも１つの物体を追跡するための単層タッチ・センサであって、
複数の駆動および検知電極を含むタッチ・ゾーンであって、ｎ個の駆動電極とｎ＋１個の検知電極とがあり、前記検知および駆動電極が、同一平面にあり、互いに平行であり、順番が交互であり、検知電極で開始し終了する、タッチ・ゾーンと、
第１エッジにおいて第１端部上の前記複数の検知電極に全てに結合された第１検知トレースと、
第２エッジにおいて第２端部上の前記複数の検知電極の全てに結合された第２検知トレースと、
複数の第１駆動トレースであって、前記複数の駆動電極の各々が、第１エッジにおいて前記第１駆動トレースの内一意の１つに結合された、第１駆動トレースと、
複数の第２駆動トレースであって、前記複数の駆動電極の各々が、第２エッジにおいて前記第２駆動トレースの内一意の１つの結合された、第２駆動トレースと、
を含む、単層タッチ・センサ。
【請求項７】
請求項６記載の単層タッチ・センサであって、更に、少なくとも２つのタッチ・ゾーンを含み、前記少なくとも２つのタッチ・ゾーンの前記複数の駆動電極および前記複数の検知電極が、互いに全て平行になるように互いに隣接して配置され、前記少なくとも２つのタッチ・ゾーンの各々の間の境界における検知電極が、独立してアドレス可能な共有検知電極であり、前記共有検知電極が、それを共有する前記２つのタッチ・ゾーンのいずれによっても使用可能である、単層タッチ・センサ。
【請求項８】
請求項７記載の単層タッチ・センサであって、更に、隣接するタッチ・ゾーンのために、異なる１組の駆動トレースと異なる１組の検知トレースとを含む、単層タッチ・センサ。
【請求項９】
請求項８記載の単層タッチ・センサにおいて、アクティブなタッチ・ゾーンが同じ行または隣接する行において他のタッチ・ゾーンと隣接しないように、前記タッチ・ゾーンがタッチ・センサの各行において交互に並べられており、アクティブなタッチ・ゾーンに駆動信号が印加され、インアクティブなタッチ・ゾーンが、前記アクティブなタッチ・ゾーン上の測定と干渉しないように、接地された電極を有する、単層タッチ・センサ。
【請求項１０】
少なくとも１つの物体を追跡する単層タッチ・センサを設ける方法であって、
複数の駆動および検知電極を含むタッチ・ゾーンを設けるステップであって、ｎ個の駆動電極とｎ＋１個の検知電極とがあり、前記検知および駆動電極が、同一平面にあり、互いに平行であり、順番が交互であり、検知電極で開始し終了する、ステップと、
第１エッジにおいて第１端部上の前記複数の検知電極の全てに結合された第１検知トレースを設け、第２エッジにおいて第２端部上の前記複数の検知電極の全てに結合された第２検知トレースを設けるステップと、
複数の第１駆動トレースを設けるステップであって、前記複数の駆動電極の各々が、第１エッジにおいて前記第１駆動トレースの内一意の１つに結合される、ステップと、
複数の第２駆動トレースを設けるステップであって、前記複数の駆動電極の各々が、第２エッジにおいて前記第２駆動トレースの内一意の１つに結合される、ステップと、
前記複数の検知電極上にデータを多重化するために、コード化パターンを使用して前記駆動電極を駆動するステップと、
前記複数の検知電極上で信号を測定するステップと、
前記タッチ・センサ上における少なくとも１つの物体に関する位置情報を得るために、前記複数の検知電極上で測定された前記信号から情報を多重分解するステップと、
を含む、方法。
【請求項１１】
請求項１０記載の方法であって、更に、少なくとも２つのタッチ・ゾーンを設けるステップを含み、前記少なくとも２つのタッチ・ゾーンの前記複数の駆動電極および前記複数の検知電極が、互いに全て平行になるように、互いに隣接して配置され、前記少なくとも２つのタッチ・ゾーンの各々の間の境界における検知電極が、独立してアドレス可能な共有検知電極であり、前記共有検知電極が、それを共有する前記２つのタッチ・ゾーンのいずれによっても使用可能である、方法。
【請求項１２】
請求項１１記載の方法であって、更に、隣接するタッチ・ゾーンのために、異なる１組の駆動トレースと異なる１組の検知トレースとを設けるステップを含む、方法。
【請求項１３】
請求項１２記載の方法であって、更に、アクティブなタッチ・ゾーンが同じ行または隣接する行において他のタッチ・ゾーンと隣接しないように、タッチ・センサの各行において前記タッチ・ゾーンを交互に並べるステップを含み、アクティブなタッチ・ゾーンが駆動信号を印加されており、インアクティブなタッチ・ゾーンが、前記アクティブなタッチ・ゾーン上の測定と干渉しないように、接地された電極を有する、方法。
【請求項１４】
請求項１０記載の方法であって、更に、前記複数の検知電極上で測定された前記信号からの前記多重分解情報を調整するステップを含む、方法。
【請求項１５】
請求項１４記載の方法であって、更に、高い値を前記タッチ・ゾーンの各々において取り込み、前記タッチ・ゾーンの各々における他の全ての測定値からそれを減算することによって、各タッチ・ゾーンにおいてＤＣ電圧オフセットを再生するステップを含む、方法。